(57)【要約】      （修正有）【課題】高所へ安全に持ち上げることのできるスーツケースを提供する。【解決手段】スーツケースは、スーツケースの底面に配設された複数のキャスタと、スーツケースの上面及び底面に設けられた２つのハンドル６と、を備える。２つのハンドルの各々は、伸縮可能に形成されている。また２つのハンドルの各々は、弾性部材を使ってスーツケースの表面に近接ないし接触する位置へ向けて付勢されている。【選択図】図１
0003203762.tif 000002
【実用新案登録請求の範囲】
【請求項１】
２つのハンドル付きのスーツケースであって、
該スーツケースの底面に配設された複数のキャスタと、
該スーツケースの上面及び底面に設けられた２つのハンドルと、
を備える２つのハンドル付きのスーツケース。
【請求項２】
上記２つのハンドルの各々は、伸縮可能に形成されていることを特徴とする、請求項１に記載の２つのハンドル付きのスーツケース。
【請求項３】
上記２つのハンドルの各々は、弾性部材を使って該スーツケースの表面に近接ないし接触する位置へ向けて付勢されていることを特徴とする、請求項１に記載の２つのハンドル付きのスーツケース。
【考案の詳細な説明】
【技術分野】
【０００１】
本考案は、２つのハンドル付きのスーツケースに関し、詳しくは、スーツケースの上面及び底面に設けられた２つのハンドル付きのスーツケースに関する。
【背景技術】
【０００２】
スーツケースは、一般に、該スーツケースの底面に設けられた複数のキャスタと、持ち手（手提げ用ハンドル）と、スーツケースを牽引する際に用いるキャリーハンドルとを備えている。
【０００３】
このようなスーツケースを乗り物の座席上方にある網棚などの上に載せる場合もあり、そのような場合には、例えば、両腕でスーツケースのシェルを抱え、或いは、一方の腕でスーツケースのシェルを抱えるのと同時に他方の手で手提げハンドルを持つことでスーツケースを持ち上げる必要があった。
【０００４】
しかし乗り物の混雑時などにおいては、スーツケースを素早く網棚などに載せようと焦るあまり不安定な状態のままスーツケースを持ち上げてしまうこともあり、無理にスーツケースを持ち上げると手から離れて落ちてくる恐れがあった。
【先行技術文献】
【特許文献】
【０００５】
【特許文献１】特開２００７−１８５４０７号公報
【考案の概要】
【考案が解決しようとする課題】
【０００６】
本考案は、スーツケースを高所へ持ち上げる際にも、安全に持ち上げることのできるスーツケースを提供することを目的とする。
【課題を解決するための手段】
【０００７】
２つのハンドル付きのスーツケースであって、該スーツケースの底面に配設された複数のキャスタと、該スーツケースの上面及び底面に設けられた２つのハンドルと、を備える２つのハンドル付きのスーツケースを提供する。
【０００８】
一実施例においては、２つのハンドルの各々は、伸縮可能に形成されていることを特徴とする。
【０００９】
他の実施例においては、２つのハンドルの各々は、弾性部材を使って該スーツケースの表面に近接ないし接触する位置へ向けて付勢されていることを特徴とする。
【考案の効果】
【００１０】
本考案のスーツケースによれば、例えば乗客で混雑している車内で素早くスーツケースを座席上方の網棚などに載せる際に、ハンドルを使用することにより、安全にスーツケースを持ち上げることができる。
【００１１】
一実施例においては、使用者が使用していないときのハンドルは弾性部材を使ってスーツケースの上面及び底面に近接ないし接触する位置まで戻るように付勢されており、底面に設けられたハンドルが障害物と接触してしまう心配が少ない。
【図面の簡単な説明】
【００１２】
【図１】本考案の一実施例におけるスーツケースを示す斜視図。
【図２】図１に示したハンドルの動作を示す図。
【図３】他の実施例におけるハンドルの設置形態を示す斜視図。
【図４】図３に示したハンドルの動作を示す図。
【図５】他の実施例におけるハンドルの設置形態を示す斜視図。
【図６】図５に示したハンドルの動作を示す図。
【図７】他の実施例におけるハンドルの設置形態を示す斜視図。
【図８】図７に示したハンドルの動作を示す図。
【考案を実施するための形態】
【００１３】
本考案のスーツケースの実施例について添付の図面を参照しつつ以下に説明する。本明細書及び特許請求の範囲において、スーツケース１は、キャリーケースなどの旅行用鞄を含む。各図に示されるスーツケース１は、スーツケース１を構成する蓋側シェル２と身側シェル３との間を開閉するためのファスナ４を備える。
【００１４】
一実施例においては、スーツケース１は、該スーツケース１の上面と側面の２個所に持ち手（手さげ用ハンドル）５を備えている。さらに、使用者がスーツケース１を持ち上げる際に両手で掴むための一対のハンドル６が、スーツケース１の蓋側シェル２の上面２ａ及び底面２ｂの凹所７内にそれぞれに配置されている。２つのハンドル６の各々は、例えば弾性部材（図示せず）から弾性力を受けてスーツケース１の表面に近接ないし接触する位置へ向けて付勢されている。
【００１５】
凹所７の深さの程度は、ハンドル６の形態に適した程度にするとよいが、特にスーツケース１の蓋側シェル２の底面２ｂに凹所７が形成されている場合には、ハンドル６が、スーツケース１の凹所７内における表面に近接ないし接触する位置まで戻っている状態のときに、該ハンドル６のグリップ部６ａが完全に凹所７内に収容される深さにするのが望ましい。しかし、スーツケース１のキャスタ８を大径にするなどして、使用者がスーツケース１のキャリーハンドル９を牽いて移動するときにスーツケース１の底面と地面とのクリアランスが十分に確保されている場合には、ハンドル６のグリップ部６ａが概ね凹所７内に収容される程度の深度にして、スムースにハンドル６のグリップ部６ａを握ることができるように構成するとよい。いくつかの実施例においては、スーツケース１の上面及び底面に凹所７が形成されていない場合もある。
【００１６】
図１は、本考案のスーツケースを示す。図１（ａ）は、スーツケースの上面側の斜視図であり、図１（ｂ）は、スーツケースの底面側の斜視図である。該スーツケース１の蓋側シェル２の上面２ａ及び底面２ｂに形成された凹所７内にそれぞれハンドル６が配置されている。図１（ａ）及び図１（ｂ）に示されているハンドル６は、伸縮可能な材料から形成されているか、或いは弾性部材からの弾性力を受けるように付勢されている。これらの伸縮性や弾性により、使用者がハンドル６を使用し終えると直ぐにグリップ部６ａが引っ込んでスーツケース１の凹所７内に近接ないし接触する位置となるように構成されている。よって、底面に配置されたハンドル６が地面に接触することがない。
【００１７】
図２は、図１に示したハンドル６の動作を示す。図２（ａ）は、ハンドル６のグリップ部６ａが凹所７から引き出された状態を示している。図２（ｂ）は、使用者が使用を終えたハンドル６のグリップ部６ａが、スーツケース１の凹所７内における表面に近接ないし接触する位置まで戻っている状態を示している。
【００１８】
図１及び図２に示したハンドル６が伸縮可能な材料から形成されている実施例においては、ハンドル６のグリップ部６ａの端部６ｂが矢印Ａ方向に動くことができるように固定部６ｃに対して伸縮可能に構成されている。使用者がハンドル６のグリップ部６ａを凹所７から引き出すと手で握り易い状態（図２（ａ））となり、その後使用者がハンドル６から手を離すとすぐに、ハンドル６は矢印Ａとは逆方向に、スーツケース１の凹所７内の表面に近接ないし接触する位置まで戻る。
【００１９】
ハンドル６を元の位置へ戻すための他の機構について説明すると、ハンドル６のグリップ部６ａとスーツケース１に固定された固定部６ｃとの間が弾性部材（図示せず）を介して接続されている。これにより、ハンドル６が凹所７から引き出されて使用されているとき（図２（ａ））に、弾性部材が引き伸ばされて弾性力が蓄えられ、使用者がハンドル６の使用を終えてグリップ部６ａから手を離すとすぐに、弾性部材から弾性力を受けたハンドル６のグリップ部６ａが、スーツケース１の凹所７内の表面に近接ないし接触する位置（図２（ｂ））まで戻る。
【００２０】
弾性部材の例としては、種々のバネがある。ハンドル６の素材は、スーツケースの形態や寸法に応じて適切なものを用いるとよい。一実施例においては、把持部として機能するグリップ部６ａの外側が耐衝撃の樹脂や金属から形成されている一方で、グリップ部６ａの内側が握り易い柔軟性のある素材から形成されている。他の実施例においては、グリップ部６ａの内側と外側を同じ素材で形成されている場合もある。
【００２１】
図３は、他の実施例におけるハンドル１６の設置形態を示す。図３（ａ）は、スーツケースの上面側の斜視図であり、図３（ｂ）は、スーツケースの底面側の斜視図である。図４は、図３に示した実施例のハンドル１６の動作を示す。図３に示されているハンドル１６のグリップアーム部１６ｄは、ハンドル１６のスーツケース１に固定された固定部１６ｃに対して回動可能に軸支されている。図３に示されているハンドル１６は、グリップアーム部１６ｄを回動させることにより、該ハンドル１６をスーツケース１の凹所７内の表面に近接ないし接触する位置まで折り畳むことができるように構成されている。他の実施例においては、ヒンジ（蝶番）部材（図示せず）を使ってハンドル１６が折り畳み可能に構成されている。
【００２２】
図４（ａ）は、ハンドル１６が凹所７から突出している状態を示している。これは、スーツケース１の使用者がハンドル１６のグリップ部１６ａを握って該スーツケース１を持ち上げているときのハンドル１６の状態に相当する。図４（ｂ）は、使用を終えた凹所７外のハンドル１６が、弾性部材から弾性力を受けてスーツケース１の凹所７内における表面に近接ないし接触する位置まで戻っている状態を示している。
【００２３】
図３及び図４に示したハンドル１６が、弾性部材から弾性力を受けて元の位置に復帰する機構について説明すると、固定部１６ｃに復帰用の弾性部材が設けられており、使用者がハンドル１６を凹所７から起立させた際に弾性部材に弾性力が蓄えられる。使用者がハンドル１６の使用を終えてグリップ部１６ａから手を離すとすぐに、弾性部材から弾性力を受けたハンドル１６のグリップアーム部１６ｄが回動して、該ハンドル１６がスーツケース１の凹所７内の表面に近接ないし接触する位置まで戻る。
【００２４】
図５は、他の実施例におけるハンドル２６の設置形態を示す。図５（ａ）は、スーツケース１の上面側の斜視図であり、図５（ｂ）は、スーツケースの底面側の斜視図である。
【００２５】
図６は、図５に示した実施例のハンドル２６の動作を示す。スーツケース１のハンドル２６は、スーツケース１に対して垂直に動く。ハンドル２６のグリップアーム部２６ｄは、スーツケース１の内部に固定された固定部２６ｃに進退可能となるように支持されている。ハンドル２６は、グリップアーム部２６ｄがスーツケース１の内外方向に進退可能に構成されている。すなわち、該ハンドル２６のグリップ部２６ａは、スーツケースの凹所７内の表面に近接ないし接触する位置まで押し込むことができるように構成されている。図６（ａ）は、ハンドル２６のグリップ部２６ａが凹所７から引き出された状態を示す。これは、ハンドル２６のグリップ部２６ａを握ってスーツケースを持ち上げているときのハンドル２６の状態に相当する。図６（ｂ）は、使用者が使用を終えた凹所７外のハンドル２６のグリップ部２６ａが、弾性部材から弾性力を受けて、スーツケース１の凹所７内における表面に近接ないし接触する位置まで戻っている状態を示している。
【００２６】
図５及び図６に示したハンドル２６が弾性部材から弾性力を受けて元の位置まで戻る機構について説明すると、例えば、固定部２６ｃの底部に復帰用の弾性部材を設置し、ハンドル２６のグリップ部２６ａが凹所７から引き出された際に弾性部材に弾性力が蓄えられる。使用者がハンドル２６の使用を終えてグリップ部２６ａから手を離すとすぐに、弾性部材から弾性力を受けたハンドル２６のグリップ部２６ａがスーツケース１の凹所７内の表面に近接ないし接触する位置まで戻る。
【００２７】
図７は、他の実施例におけるハンドル３６の設置形態を示す。図７（ａ）は、スーツケース１の上面側の斜視図であり、図７（ｂ）は、スーツケース１の底面側の斜視図である。図８は、図７に示した実施例のハンドル３６の動作を示す。図７に示されるハンドル３６のグリップアーム部３６ｄは、スーツケース１の凹所７内に固定された固定部３６ｃに進退可能となるように支持されている。図７に示されているハンドル３６は、グリップアーム部３６ｄが固定部３６ｃの内外方向に進退運動することにより、スーツケース１の凹所７内の表面に近接ないし接触する位置までハンドル３６のグリップ部３６ａを押し込むことができるように構成されている。
【００２８】
スーツケース１のハンドル３６のグリップ部３６ａとグリップアーム部３６ｄは、該スーツケース１に対して水平に摺動できるように構成されている。図８（ａ）は、凹所７からハンドル３６のグリップ部３６ａが引き出された状態を示している。これは、スーツケース１の使用者がハンドル３６のグリップ部３６ａを握ってスーツケースを持ち上げているときのハンドル３６の状態に相当する。図８（ｂ）は、ハンドル３６のグリップ部３６ａが弾性部材から弾性力を受けてスーツケース１の凹所７内における表面に近接ないし接触する位置まで戻っている状態を示している。
【００２９】
図７及び図８に示したハンドル３６が、弾性部材から復元力を受けて元の位置へ戻る機構について説明すると、例えば、固定部３６ｃの底に復帰用の弾性部材があり、使用者がハンドル３６のグリップ部３６ａを凹所７から引き出した際に弾性部材（図示せず）に弾性力が蓄えられる。そして、使用者がハンドル３６から手を離すと、蓄えられた弾性力を受けたハンドル３６のグリップ部３６ａが、スーツケース１の表面に近接ないし接触する位置まで戻る。
【符号の説明】
【００３０】
１…スーツケース
２…蓋側シェル
２ａ…上面
２ｂ…底面
３…身側シェル
４…ファスナ
５…持ち手（手提げ用ハンドル）
６…ハンドル
６ａ…グリップ部
６ｂ…端部
６ｃ…固定部
７…凹所
８…キャスタ
９…キャリーハンドル
１６…ハンドル
１６ａ…グリップ部
１６ｃ…固定部
１６ｄ…グリップアーム部
２６…ハンドル
２６ａ…グリップ部
２６ｃ…固定部
２６ｄ…グリップアーム部
３６…ハンドル
３６ａ…グリップ部
３６ｃ…固定部
３６ｄ…グリップアーム部
【図１】
0003203762.tif 000003
【図２】
0003203762.tif 000004
【図３】
0003203762.tif 000005
【図４】
0003203762.tif 000006
【図５】
0003203762.tif 000007
【図６】
0003203762.tif 000008
【図７】
0003203762.tif 000009
【図８】
0003203762.tif 000010